(57)【要約】      （修正有）【課題】アクセス認証を行うサーバー装置にユーザーからのアクセスがあったとき、そのアクセスが電子看板の近傍にいるユーザーによるアクセスであるか否かを判定するアクセス認証システムを提供する。【解決手段】アクセス認証システムは、電子看板とサーバー装置を備える。電子看板は、サーバー装置へのアクセス方法を含み、所定期間毎にアクセス方法が変更される２次元コードの生成規則を記憶する第１記憶手段及び生成規則に従って生成される２次元コードを表示する２次元コード表示手段を有する。サーバー装置は、生成規則を記憶する第２記憶手段、２次元コードに含まれるアクセス方法に基づくユーザー端末によるアクセスを受け付けるアクセス受付手段及び記憶される生成規則を参照して、アクセスが、２次元コードが電子看板に表示された時刻から所定期間内に行われたものか否かを判定するアクセス適否判定手段を有する。【選択図】図２
2019061678.tif 000002
【特許請求の範囲】
【請求項１】
電子看板及びサーバー装置を含むアクセス認証システムであって、
前記電子看板が、
前記サーバー装置へのアクセス方法を含む２次元コードであって、所定期間毎に前記アクセス方法が変更される２次元コードについての生成規則に従って生成される前記２次元コードを表示する２次元コード表示手段を有し、
前記サーバー装置が、
前記生成規則を記憶する第２記憶手段と、
前記２次元コードに含まれる前記アクセス方法に基づくユーザー端末によるアクセスを受け付けるアクセス受付手段と、
前記第２記憶手段において記憶される前記生成規則を参照して、前記アクセスが、前記２次元コードが前記電子看板に表示された時刻から所定期間内に行われたものか否かを判定するアクセス適否判定手段と、
前記アクセスが前記２次元コードが前記電子看板に表示された時刻から所定期間内に行われたものと判定された場合、所定の情報処理を実行する処理実行手段と、を有することを特徴とするアクセス認証システム。
【請求項２】
前記処理実行手段が、通信ネットワークを介して接続される他装置に対し、該他装置を制御するための指示を通知することを特徴とする請求項１に記載のアクセス認証システム。
【請求項３】
前記２次元コード表示手段が、前記生成規則に基づいて、前記電子看板に表示されている前記２次元コードが変更されるまでの期間を表す表示を行うことを特徴とする請求項１又は２に記載のアクセス認証システム。
【請求項４】
前記サーバー装置が、
一の前記２次元コードについて、前記アクセスが前記一の２次元コードが前記電子看板に表示された時刻から所定期間内に行われたものと判定された回数が所定回数以下か否かを判定するアクセス回数判定手段を有し、
前記アクセス回数判定手段によって前記所定回数以下であると判定された場合、前記処理実行手段が、前記所定の情報処理を実行することを特徴とする請求項１乃至３の何れか一に記載のアクセス認証システム。
【請求項５】
前記サーバー装置が、
前記電子看板において複数の前記２次元コードが同時に表示される場合、同時に表示される１組の前記２次元コードについて、前記アクセスが前記１組の２次元コードが前記電子看板に表示された時刻から所定期間内に行われたものと判定された回数が所定回数以下か否かを判定するアクセス回数判定手段を有し、
前記アクセス回数判定手段によって前記所定回数以下であると判定された場合、前記処理実行手段が、前記所定の情報処理を実行することを特徴とする請求項１乃至３の何れか一に記載のアクセス認証システム。
【請求項６】
電子看板及びサーバー装置を含むアクセス認証システムにおけるアクセス認証方法であって、
前記電子看板において、
２次元コード表示手段が、前記サーバー装置へのアクセス方法を含む２次元コードであって、所定期間毎に前記アクセス方法が変更される２次元コードについての生成規則に従って生成される前記２次元コードを表示するステップを含み、
前記生成規則を記憶する第２記憶手段を有する前記サーバー装置において、
アクセス受付手段が、前記２次元コードに含まれる前記アクセス方法に基づくユーザー端末によるアクセスを受け付けるステップと、
アクセス適否判定手段が、前記第２記憶手段において記憶される前記生成規則を参照して、前記アクセスが、前記２次元コードが前記電子看板に表示された時刻から所定期間内に行われたものか否かを判定するステップと、
処理実行手段が、前記アクセスが前記２次元コードが前記電子看板に表示された時刻から所定期間内に行われたものと判定された場合、所定の情報処理を実行するステップと、を含むアクセス認証方法。
【請求項７】
前記処理実行手段が、通信ネットワークを介して接続される他装置に対し、該他装置を制御するための指示を通知することを特徴とする請求項６に記載のアクセス認証方法。
【請求項８】
前記２次元コード表示手段が、前記生成規則に基づいて、前記電子看板に表示されている前記２次元コードが変更されるまでの期間を表す表示を行うことを特徴とする請求項６又は７に記載のアクセス認証方法。
【請求項９】
前記サーバー装置において、
アクセス回数判定手段が、一の前記２次元コードについて、前記アクセスが前記一の２次元コードが前記電子看板に表示された時刻から所定期間内に行われたものと判定された回数が所定回数以下か否かを判定するステップを含み、
前記アクセス回数判定手段によって前記所定回数以下であると判定された場合、前記処理実行手段が、前記所定の情報処理を実行することを特徴とする請求項６乃至８の何れか一に記載のアクセス認証方法。
【請求項１０】
前記サーバー装置において、
アクセス回数判定手段が、前記電子看板において複数の前記２次元コードが同時に表示される場合、同時に表示される１組の前記２次元コードについて、前記アクセスが前記１組の２次元コードが前記電子看板に表示された時刻から所定期間内に行われたものと判定された回数が所定回数以下か否かを判定するステップを含み、
前記アクセス回数判定手段によって前記所定回数以下であると判定された場合、前記処理実行手段が、前記所定の情報処理を実行することを特徴とする請求項６乃至８の何れか一に記載のアクセス認証方法。
【請求項１１】
電子看板及びサーバー装置を含むアクセス認証システムにおける電子看板であって、
前記サーバー装置が、
前記サーバー装置へのアクセス方法を含む２次元コードであって、所定期間毎に前記アクセス方法が変更される２次元コードについての生成規則を記憶する第２記憶手段と、
前記２次元コードに含まれる前記アクセス方法に基づくユーザー端末によるアクセスを受け付けるアクセス受付手段と、
前記第２記憶手段において記憶される前記生成規則を参照して、前記アクセスが、前記２次元コードが前記電子看板に表示された時刻から所定期間内に行われたものか否かを判定するアクセス適否判定手段と、
前記アクセスが前記２次元コードが前記電子看板に表示された時刻から所定期間内に行われたものと判定された場合、所定の情報処理を実行する処理実行手段と、を有する場合、
前記生成規則に従って生成される前記２次元コードを表示する２次元コード表示手段を有することを特徴とする電子看板。
【請求項１２】
電子看板及びサーバー装置を含むアクセス認証システムにおける前記電子看板の制御方法であって、
前記サーバー装置が、
前記サーバー装置へのアクセス方法を含む２次元コードであって、所定期間毎に前記アクセス方法が変更される２次元コードについての生成規則を記憶する第２記憶手段と、
前記２次元コードに含まれる前記アクセス方法に基づくユーザー端末によるアクセスを受け付けるアクセス受付手段と、
前記第２記憶手段において記憶される前記生成規則を参照して、前記アクセスが、前記２次元コードが前記電子看板に表示された時刻から所定期間内に行われたものか否かを判定するアクセス適否判定手段と、
前記アクセスが前記２次元コードが前記電子看板に表示された時刻から所定期間内に行われたものと判定された場合、所定の情報処理を実行する処理実行手段と、を有する場合、
前記電子看板において、
２次元コード表示手段が、前記生成規則に従って生成される前記２次元コードを表示するステップを含む前記電子看板の制御方法。
【請求項１３】
コンピュータに、請求項１２に記載の制御方法を実行させるための電子看板制御プログラム。
【請求項１４】
電子看板及びサーバー装置を含むアクセス認証システムにおけるサーバー装置であって、
前記電子看板が、
前記サーバー装置へのアクセス方法を含む２次元コードであって、所定期間毎に前記アクセス方法が変更される２次元コードについての生成規則に従って生成される前記２次元コードを表示する２次元コード表示手段を有する場合、
前記生成規則を記憶する第２記憶手段と、
前記２次元コードに含まれる前記アクセス方法に基づくユーザー端末によるアクセスを受け付けるアクセス受付手段と、
前記第２記憶手段において記憶される前記生成規則を参照して、前記アクセスが、前記２次元コードが前記電子看板に表示された時刻から所定期間内に行われたものか否かを判定するアクセス適否判定手段と、
前記アクセスが前記２次元コードが前記電子看板に表示された時刻から所定期間内に行われたものと判定された場合、所定の情報処理を実行する処理実行手段と、を有することを特徴とするサーバー装置。
【請求項１５】
電子看板及びサーバー装置を含むアクセス認証システムにおける前記サーバー装置の制御方法であって、
前記電子看板が、
前記サーバー装置へのアクセス方法を含む２次元コードであって、所定期間毎に前記アクセス方法が変更される２次元コードについての生成規則に従って生成される前記２次元コードを表示する２次元コード表示手段を有する場合、
前記生成規則を記憶する第２記憶手段を有する前記サーバー装置において、
アクセス受付手段が、前記２次元コードに含まれる前記アクセス方法に基づくユーザー端末によるアクセスを受け付けるステップと、
アクセス適否判定手段が、前記第２記憶手段において記憶される前記生成規則を参照して、前記アクセスが、前記２次元コードが前記電子看板に表示された時刻から所定期間内に行われたものか否かを判定するステップと、
処理実行手段が、前記アクセスが前記２次元コードが前記電子看板に表示された時刻から所定期間内に行われたものと判定された場合、所定の情報処理を実行するステップと、を含む前記サーバー装置の制御方法。
【請求項１６】
コンピュータに、請求項１５に記載の制御方法を実行させるためのサーバー装置制御プログラム。
【発明の詳細な説明】
【技術分野】
【０００１】
電子看板の近傍にいるユーザーによるアクセスを認証する技術に関する。
【背景技術】
【０００２】
電子看板とは、デジタル技術を活用して平面ディスプレイやプロジェクタ等によって映像や文字を表示する情報・広告媒体であり、記憶装置を利用することで表示内容を切り替えたり動画表示を行なったりと、多様な映像広告を展開することができる。
【０００３】
近年、街中では電子看板を数多く見かけるようになったが、単なる表示装置の域を超え、インタラクティブ性を備える電子看板についても研究開発が盛んに行われている。例えば、特許文献１では、街頭等に設置される電子ポスターを公衆が簡便に利用することのできる電子ポスターシステムに係る技術が提案されている。
【０００４】
一方、ユーザーニーズの多様化に伴って、時・場所を選ばないサービスが求められる中、近年、通信ネットワークを介して提供されるサービスが普及している。そういったサービスにおいては、サービス利用者の正当性の認証が重要になってくるため、ユーザーの認証技術に関する研究開発が盛んに行われている。例えば、特許文献２では、ＱＲコード（登録商標）などの認証用画像を用いたＯ２Ｏ（オンライン・ツー・オンライン）現場認証方法において、認証用画像の複製による不正行為を阻止する技術が提案されている。
【先行技術文献】
【特許文献】
【０００５】
【特許文献１】特許第３７４５６５０号公報
【特許文献２】特開２０１７−７６２５４号公報
【発明の概要】
【発明が解決しようとする課題】
【０００６】
電子看板の近傍にいるユーザーをターゲットに、インタラクティブ性を備えたサービスの提供を行いたい場合、ユーザーからサービス提供装置にアクセスがあったとき、そのアクセスが電子看板の近傍にいるユーザーによるアクセスであるか否かを判定しなければならない。
【０００７】
しかしながら、上記の従来技術においては、サービス提供装置にユーザーのアクセスがあったときに、電子看板の近傍にいるユーザーによるアクセスであるか否かを判定することができないという問題点があった。
【０００８】
そこで本発明では、上記問題点に鑑み、アクセス認証を行うサーバー装置にユーザーからのアクセスがあったとき、そのアクセスが電子看板の近傍にいるユーザーによるアクセスであるか否かを判定するアクセス認証システムを提供することを目的とする。
【課題を解決するための手段】
【０００９】
開示するアクセス認証システムの一形態は、電子看板及びサーバー装置を含むアクセス認証システムであって、前記電子看板が、前記サーバー装置へのアクセス方法を含む２次元コードであって、所定期間毎に前記アクセス方法が変更される２次元コードについての生成規則に従って生成される前記２次元コードを表示する２次元コード表示手段を有し、前記サーバー装置が、前記生成規則を記憶する第２記憶手段と、前記２次元コードに含まれる前記アクセス方法に基づくユーザー端末によるアクセスを受け付けるアクセス受付手段と、前記第２記憶手段において記憶される前記生成規則を参照して、前記アクセスが、前記２次元コードが前記電子看板に表示された時刻から所定期間内に行われたものか否かを判定するアクセス適否判定手段と、前記アクセスが前記２次元コードが前記電子看板に表示された時刻から所定期間内に行われたものと判定された場合、所定の情報処理を実行する処理実行手段と、を有することを特徴とする。
【発明の効果】
【００１０】
開示するアクセス認証システムは、アクセス認証を行うサーバー装置にユーザーからのアクセスがあったとき、そのアクセスが電子看板の近傍にいるユーザーによるアクセスであるか否かを判定することができる。
【図面の簡単な説明】
【００１１】
【図１】本実施の形態に係るアクセス認証システムの概要を説明する図である。
【図２】本実施の形態に係るアクセス認証システムの機能ブロック図である。
【図３】本実施の形態に係る２次元コード表示手段による表示の一例を示す図である。
【図４】本実施の形態に係る２次元コード表示手段による表示の一例を示す図である。
【図５】本実施の形態に係る２次元コード表示手段による表示の一例を示す図である。
【図６】本実施の形態に係る電子看板のハードウエア構成例を示す図である。
【図７】本実施の形態に係るサーバー装置のハードウエア構成例を示す図である。
【図８】本実施の形態に係る電子看板による処理例の流れを示すフローチャートである。
【図９】本実施の形態に係るサーバー装置による処理例の流れを示すフローチャートである。
【発明を実施するための形態】
【００１２】
図面を参照しながら、本発明を実施するための形態について説明する。
（本実施の形態に係るアクセス認証システムの動作原理）
【００１３】
図１乃至５を用いて、本実施の形態に係るアクセス認証システム(以下、単に「本システム」という。)１００の動作原理について説明する。図１は、本システム１００の概要を説明するための図である。
【００１４】
図１で示すように、本システム１００は、電子看板１１０、サーバー装置２１０を有し、少なくともサーバー装置２１０は、通信ネットワーク３８０を介して、ユーザーが操作するユーザー端末３６０と接続される。電子看板１１０は、通信ネットワーク３８０を介して、サーバー装置２１０、ユーザー端末３６０に接続される形態であっても良く、これらと接続されない所謂スタンドアロンの形態であっても良い。
【００１５】
電子看板１１０は、表示時刻を特定可能な態様で、かつ、短時間で表示させる情報を変化させる所定の規則３３０に従って２次元コード３１０を表示する。ここで、２次元コード３１０とは、例えば、ＱＲコード（登録商標）であり、サーバー装置２１０へのアクセス情報が含まれると共に、所定の使用可能期間を備える情報である。
【００１６】
電子看板１１０の近傍にいるユーザーは、電子看板１１０に表示される２次元コード３１０を利用して（例えば、２次元コードリーダーの機能を有するソフトウエアを利用して）、サーバー装置２１０にアクセスする。
【００１７】
サーバー装置２１０は、共有する所定の規則３３０を参照して、ユーザーがアクセス３７０に利用した２次元コード３１０が、電子看板１１０において表示されてから所定期間内に利用されたものか否かを判定する。サーバー装置２１０は、２次元コード３１０が所定期間内に利用されたものと判定した場合、ユーザーのアクセス３７０は適正なアクセスであると判断し、所定の情報処理を実行する。つまり、電子看板１１０に表示される２次元コード３１０が利用できる期間を短い期間に設定し、電子看板１１０とサーバー装置２１０とで規則３３０を共有することによって、電子看板１１０の近傍にいるユーザーのみが２次元コード３１０を利用しサーバー装置２１０へアクセスできる環境を提供する。
【００１８】
こうすることによって、本システム１００は、アクセスした人が電子看板（デジタルサイネージ）近傍にいる人であることを確認し、その結果として、種々の効果的な動作を可能にする。また、本システム１００は、アクセスキー３１０の二次利用（間接取得者による利用）を防止することができる。
【００１９】
図２は、本システム１００の機能ブロック図である。図２で示すように、本システム１００は、電子看板１１０、サーバー装置２１０を有し、電子看板１１０は、第１記憶手段１２０、２次元コード表示手段１３０を有する。
【００２０】
第１記憶手段１２０は、２次元コード３１０についての生成規則３３０を記憶する。２次元コード３１０は、サーバー装置２１０へのアクセス方法３２０を含み、所定期間毎に変更される情報である。生成規則３３０は、２次元コード３１０の表示時刻、２次元コード３１０が表示される期間を特定する情報であって、一の２次元コード３１０について“いつ”電子看板１１０において表示されたのかを知ることができる情報である。アクセス方法３２０は、サーバー装置２１０上の所定の場所を示す情報であって、例えば、ＵＲＬ（Uniform Resource Locator）である。
【００２１】
２次元コード表示手段１３０は、生成規則３３０に従って２次元コード３１０を生成し、生成した２次元コード３１０を電子看板１１０上に表示する。２次元コード表示手段１３０は、１個の２次元コード３１０を生成し表示する形態であっても良く、同時に表示される複数の２次元コード（１組の２次元コード３５０）を生成し表示する形態であっても良い。
【００２２】
図３（ａ）で示すように、例えば、２次元コード表示手段１３０は、１組の２次元コード３５０として、３つの２次元コード３１０を生成し、電子看板１１０上に１組の２次元コード３５０を同時に表示する。
【００２３】
２次元コード表示手段１３０は、生成規則３３０に基づいて、電子看板１１０に表示されている２次元コード３１０が変更されるまでの期間（２次元コード３１０が使用可能な期間）を表す表示３４０を行う。
【００２４】
図３（ａ）で示すように、２次元コード表示手段１３０は、２次元コード３１０の下部に、２次元コード３１０が変更されるまでの期間を棒グラフで表す表示３４０を行う形態であっても良い。また、図４で示すように、２次元コード表示手段１３０は、２次元コード３１０の周辺に、２次元コード３１０が変更されるまでの期間を環状グラフで表す表示を行う形態であっても良い。
【００２５】
図５で示すように、２次元コード表示手段１３０は、２次元コード３１０が変更されるまでの期間に応じて、２次元コード３１０自体を覆い隠し、最終的に利用できないようにする表示を行う形態であっても良い。なお、図５において、２次元コード表示手段１３０は、時間の経過と共に、（ａ）の状態から（ｂ）の状態へ遷移させる。
【００２６】
図２で示すように、サーバー装置２１０は、第２記憶手段２２０、アクセス受付手段２３０、アクセス適否判定手段２４０、アクセス回数判定手段２５０、処理実行手段２６０を有する。
【００２７】
第２記憶手段２２０は、２次元コード３１０についての生成規則３３０を記憶する。なお、第２記憶手段２２０に記憶される全ての情報と第１記憶手段１２０に記憶される全ての情報とが一致している必要はない。
【００２８】
アクセス受付手段２３０は、２次元コード表示手段１３０によって表示された２次元コード３１０に含まれるアクセス方法３２０に基づくユーザー端末３６０によるアクセス３７０を受け付ける。アクセス３７０は、通信ネットワーク３８０を介して行われるが、通信ネットワーク３８０は、有線であっても、無線であってもどちらでも良い。
【００２９】
アクセス適否判定手段２４０は、第２記憶手段２２０において記憶される生成規則３３０を参照して、アクセス３７０が、アクセス３７０に利用された２次元コード３１０が電子看板１１０に表示された時刻から所定期間内に行われたものか否かを判定する。アクセス適否判定手段２４０は、アクセス３７０に利用された２次元コード３１０が電子看板１１０に表示された時刻から所定期間内にアクセス３７０が行われたものである場合、アクセス３７０を適切なアクセスであると判定する。
【００３０】
アクセス回数判定手段２５０は、一の２次元コード３１０に基づくアクセス３７０について、一の２次元コード３１０が電子看板１１０に表示された時刻から所定期間内に行われたものと判定された回数が所定回数以下か否かを判定する。不正アクセスを防止するためである。
【００３１】
アクセス回数判定手段２５０は、１組の２次元コード３５０に含まれる何れかの２次元コード３１０に基づくアクセス３７０について、１組の２次元コード３５０が電子看板１１０に表示された時刻から所定期間内に行われたものと判定された回数が所定回数以下か否かを判定する。不正アクセスを防止するためである。
【００３２】
処理実行手段２６０は、アクセス適否判定手段２４０によってアクセス３７０が適切なアクセスであると判定された場合、所定の情報処理を実行する。所定の情報処理とは、通信ネットワーク３８０を介して接続される他装置３９０に対し、他装置３９０を制御するための指示を通知する処理であっても良い。他装置３９０とは、電子看板１１０、ユーザー端末３６０を含む概念であり、サーバー装置２１０とは別の装置であることを示している。
【００３３】
処理実行手段２６０は、アクセス回数判定手段２５０によって所定回数以下と判定された場合、所定の情報処理を実行する形態としても良い。図３で示すように、処理実行手段２６０は、１組の２次元コード３５０に基づくアクセス３７０があった場合、電子看板１１０上に“正解”、“不正解”の表示を行わせる制御指示を通知することによって、ユーザーが参加できるクイズを実現させることができる。
【００３４】
上記のような処理を行うことによって、アクセス認証システム１００は、アクセス認証を行うサーバー装置２１０にユーザーからのアクセス３７０があったとき、そのアクセス３７０が電子看板１１０の近傍にいるユーザーによるアクセス３７０であるか否かを判定することができる。
（本実施の形態に係る電子看板のハードウエア構成）
【００３５】
図６を用いて、電子看板１１０のハードウエア構成例について説明する。図６は、電子看板１１０のハードウエア構成の一例を示す図である。図６で示すように、電子看板１１０は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置（表示装置）４７０、記録媒体Ｉ／Ｆ４８０を有する。
【００３６】
ＣＰＵ４１０は、ＲＯＭ４２０に記憶されたプログラムを実行する装置であり、ＲＡＭ４３０に展開（ロード）されたデータを、プログラムの命令に従って演算処理し、電子看板１１０全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００３７】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。補助記憶装置４４０は、第１記憶手段１２０を含む。
【００３８】
通信Ｉ／Ｆ４５０は、有線・無線ＬＡＮ（Local Area Network）、インターネットなどの通信ネットワーク３８０に接続し、通信機能を提供する他装置とデータの授受を行うためのインターフェースである。なお、電子看板１１０がスタンドアロンの状態である場合、電子看板１１０は、通信Ｉ／Ｆ４５０を備えていなくても良い。
【００３９】
入力装置４６０は、キーボードやタッチパネルなど電子看板１１０にデータ入力を行うための装置である。出力装置４７０は、ＬＣＤ（Liquid Crystal Display）等で構成される表示装置であり、電子看板１１０が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００４０】
電子看板１１０が有する各手段は、ＣＰＵ４１０が、ＲＯＭ４２０又は補助記憶装置４４０に記憶された各手段に対応するプログラムを実行することにより実現される形態としても良い。また、電子看板１１０が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、電子看板１１０に当該プログラムを実行させる形態としても良い。
（本実施の形態に係るサーバー装置のハードウエア構成）
【００４１】
図７を用いて、サーバー装置２１０のハードウエア構成例について説明する。図７は、サーバー装置２１０のハードウエア構成の一例を示す図である。図７で示すように、サーバー装置２１０は、ＣＰＵ５１０、ＲＯＭ５２０、ＲＡＭ５３０、補助記憶装置５４０、通信Ｉ／Ｆ５５０、入力装置５６０、出力装置（表示装置）５７０、記録媒体Ｉ／Ｆ５８０を有する。
【００４２】
ＣＰＵ５１０は、ＲＯＭ５２０に記憶されたプログラムを実行する装置であり、ＲＡＭ５３０に展開（ロード）されたデータを、プログラムの命令に従って演算処理し、サーバー装置２１０全体を制御する。ＲＯＭ５２０は、ＣＰＵ５１０が実行するプログラムやデータを記憶している。ＲＡＭ５３０は、ＣＰＵ５１０でＲＯＭ５２０に記憶されたプログラムを実行する際に、実行するプログラムやデータが展開（ロード）され、演算の間、演算データを一時的に保持する。
【００４３】
補助記憶装置５４０は、基本ソフトウエアであるＯＳや本実施の形態に係るアプリケーションプログラムなどを、関連するデータとともに記憶する装置であり、例えば、ＨＤＤやフラッシュメモリなどである。補助記憶装置５５０は、第２記憶手段２２０を含む。
【００４４】
通信Ｉ／Ｆ５５０は、有線・無線ＬＡＮ、インターネットなどの通信ネットワーク３８０に接続し、通信機能を提供する他装置３９０とデータの授受を行うためのインターフェースである。
【００４５】
入力装置５６０は、キーボードやタッチパネルなどサーバー装置２１０にデータ入力を行うための装置である。出力装置５７０は、ＬＣＤ等で構成される表示装置であり、サーバー装置２１０が有する機能をユーザーが利用する際や各種設定を行う際のユーザーインターフェースとして機能する装置である。
記録媒体Ｉ／Ｆ５８０は、ＣＤ−ＲＯＭ、ＤＶＤ−ＲＯＭ、ＵＳＢメモリなどの記録媒体５９０とデータの送受信を行うためのインターフェースである。
【００４６】
サーバー装置２１０が有する各手段は、ＣＰＵ５１０が、ＲＯＭ５２０又は補助記憶装置５４０に記憶された各手段に対応するプログラムを実行することにより実現される形態としても良い。また、サーバー装置２１０が有する各手段は、当該各手段に関する処理をハードウエアとして実現される形態としても良い。また、通信Ｉ／Ｆ５５０を介して外部サーバー装置から本発明に係るプログラムを読み込ませたり、記録媒体Ｉ／Ｆ５８０を介して記録媒体５９０から本発明に係るプログラムを読み込ませたりして、サーバー装置２１０に当該プログラムを実行させる形態としても良い。
（本実施の形態に係るアクセス認証システムによる処理例）
（１）電子看板１１０による処理例
図８を用いて、電子看板１１０による処理例を説明する。図８は、電子看板１１０による処理の一例の流れを示すフローチャートである。
【００４７】
Ｓ１０で２次元コード表示手段１３０が、生成規則３３０に従って一の２次元コード３１０、３５０を生成する。２次元コード表示手段１３０は、１個の２次元コード３１０を生成する形態であっても良いし、同時に表示される１組の２次元コード３５０を生成する形態であっても良い。
【００４８】
２次元コード３１０は、サーバー装置２１０へのアクセス方法３２０を含み、所定期間毎に変更される情報である。生成規則３３０は、２次元コード３１０の表示時刻、２次元コード３１０が表示される期間を特定する情報であって、一の２次元コード３１０について“いつ”電子看板１１０において表示されたのかを知ることができる情報である。アクセス方法３２０は、サーバー装置２１０上の所定の場所を示す情報であって、例えば、ＵＲＬである。
【００４９】
Ｓ２０で２次元コード表示手段１３０が、Ｓ１０において生成した一の２次元コード３１０、３５０を電子看板１１０上に表示する。図１で示すように、２次元コード表示手段１３０は、１個の２次元コード３１０を生成し表示する形態であっても良い。
【００５０】
図３（ａ）で示すように、２次元コード表示手段１３０は、１組の２次元コード３５０として、３つの２次元コード３１０を生成し、電子看板１１０上に１組の２次元コード３５０を同時に表示する形態であっても良い。
【００５１】
なお、２次元コード表示手段１３０は、生成規則３３０に基づいて、電子看板１１０に表示されている２次元コード３１０が変更されるまでの期間を表す表示３４０を行う。
【００５２】
図３（ａ）で示すように、２次元コード表示手段１３０は、２次元コード３１０の下部に、一の２次元コード３１０が変更されるまでの期間を棒グラフで表す表示３４０を行う形態であっても良い。また、図４で示すように、２次元コード表示手段１３０は、２次元コード３１０の周辺に、一の２次元コード３１０が変更されるまでの期間を環状グラフで表す表示を行う形態であっても良い。
【００５３】
図５で示すように、２次元コード表示手段１３０は、２次元コード３１０が変更されるまでの期間に応じて、一の２次元コード３１０自体を覆い隠し、最終的に利用できないようにする表示を行う形態であっても良い。なお、図５において、２次元コード表示手段１３０は、時間の経過と共に、（ａ）の状態から（ｂ）の状態へ遷移させる。
【００５４】
Ｓ３０で電子看板１１０上に表示される２次元コード３１０の表示開始時刻から所定の期間が経過した場合（Ｓ３０でＹｅｓ）、処理はＳ１０へ移行し、Ｓ１０で２次元コード表示手段１３０が、生成規則３３０に従って他の２次元コード３１０を生成する。
【００５５】
Ｓ３０で電子看板１１０上に表示される２次元コード３１０の表示開始時刻から所定の期間が経過していない場合（Ｓ３０でＮｏ）、処理はＳ２０へ移行し、Ｓ１０において生成された２次元コード３１０の表示が継続される。
（２）サーバー装置２１０による処理例
図９を用いて、サーバー装置２１０による処理例を説明する。図９は、サーバー装置２１０による処理の一例の流れを示すフローチャートである。
【００５６】
Ｓ１１０でアクセス受付手段２３０が、Ｓ２０において表示された２次元コード３１０に含まれるアクセス方法３２０に基づくユーザー端末３６０によるアクセス３７０を受け付ける。
【００５７】
Ｓ１２０でアクセス適否判定手段２４０が、第２記憶手段２２０において記憶される生成規則３３０を参照して、Ｓ１１０において受け付けたアクセス３７０が、アクセス３７０に利用された２次元コード３１０が電子看板１１０に表示された時刻から所定期間内に行われたものか否かを判定する。アクセス適否判定手段２４０は、アクセス３７０に利用された２次元コード３１０が電子看板１１０に表示された時刻から所定期間内にアクセス３７０が行われたものである場合、アクセス３７０を適切なアクセスであると判定する。
【００５８】
Ｓ１３０でアクセス回数判定手段２５０が、一の２次元コード３１０に基づくアクセス３７０について、一の２次元コード３１０が電子看板１１０に表示された時刻から所定期間内に行われたものと判定された回数が所定回数以下か否かを判定する。
【００５９】
また、アクセス回数判定手段２５０は、１組の２次元コード３５０に含まれる何れかの２次元コード３１０に基づくアクセス３７０について、１組の２次元コード３５０が電子看板１１０に表示された時刻から所定期間内に行われたものと判定された回数が所定回数以下か否かを判定する。
【００６０】
Ｓ１４０で処理実行手段２６０が、Ｓ１２０においてアクセス３７０が適切なアクセスであると判定された場合、所定の情報処理を実行する。所定の情報処理とは、通信ネットワーク３８０を介して接続される他装置３９０に対し、他装置３９０を制御するための指示を通知する処理であっても良い。
【００６１】
処理実行手段２６０は、Ｓ１３０において所定回数以下と判定された場合、所定の情報処理を実行する形態としても良い。図３で示すように、処理実行手段２６０は、１組の２次元コード３５０に基づくアクセス３７０があった場合、電子看板１１０上に“正解”、“不正解”の表示を行わせる制御指示を通知することによって、ユーザーが参加できるクイズを実現させることができる。
【００６２】
なお、Ｓ１３０における情報処理がない場合でも、サーバー装置２１０（本システム１００）の情報処理は成立する。つまり、Ｓ１３０における情報処理は無くても良い。
【００６３】
上記のような処理を行うことによって、アクセス認証システム１００は、アクセス認証を行うサーバー装置２１０にユーザーからのアクセス３７０があったとき、そのアクセス３７０が電子看板１１０の近傍にいるユーザーによるアクセス３７０であるか否かを判定することができる。
【００６４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００６５】
１００  アクセス認証システム
１１０  電子看板
１２０  第１記憶手段
１３０  ２次元コード表示手段
２１０  サーバー装置
２２０  第２記憶手段
２３０  アクセス受付手段
２４０  アクセス適否判定手段
２５０  アクセス回数判定手段
２６０  処理実行手段
３１０  ２次元コード
３２０  サーバー装置へのアクセス方法
３３０  ２次元コードの生成規則
３４０  ２次元コードが変更されるまでの期間を表す表示
３５０  １組の２次元コード
３６０  ユーザー端末
３７０  ユーザー端末によるアクセス
３８０  通信ネットワーク
３９０  他装置
４１０、５１０  ＣＰＵ
４２０、５２０  ＲＯＭ
４３０、５３０  ＲＡＭ
４４０、５４０  補助記憶装置
４５０、５５０  通信インターフェース
４６０、５６０  入力装置
４７０、５７０  出力装置（表示装置）
４８０、５８０  記録媒体インターフェース
４９０、５９０  記録媒体
【図１】
2019061678.tif 000003
【図２】
2019061678.tif 000004
【図３】
2019061678.tif 000005
【図４】
2019061678.tif 000006
【図５】
2019061678.tif 000007
【図６】
2019061678.tif 000008
【図７】
2019061678.tif 000009
【図８】
2019061678.tif 000010
【図９】
2019061678.tif 000011